(57)【要約】【課題】ディスプレイの表示画面を、ユーザにとって利便性の大きい画面サイズの組み合わせで分割し、複数の情報ソースの表示画面として用いる「情報システム」を提供する。【解決手段】ＡＶ処理部１０５から出力される出力ＡＶ情報に動画や大サイズの静止画が含まれている場合には、動画や大サイズ静止画の視認に支障が生じない程度の比較的大きな領域がＡＶ画面領域として割り当てられ、残りがナビゲーション画面領域として割り当てられる（ａ）。出力ＡＶ情報に動画も静止画も含まれておらず、テキストが含まれている場合にはテキストの表示に充分なディスプレイ１０１の表示面の上部の帯状の領域のみをＡＶ画面領域として割り当て、残りの大部分をナビゲーション画面領域に割り当てる（ｃ）【選択図】図３
2013221979.tif 000002
【特許請求の範囲】
【請求項１】
ディスプレイと、
前記ディスプレイに表示する１または複数の情報を含む表示情報を出力する複数の情報ソースと、
前記複数の情報ソースの各々に、ディスプレイの表示画面の表示領域を分割した複数の副画面のうちの一つの前記副画面を、当該情報ソースが出力する表示情報に含まれる各情報を表示する副画面として割り当てるユーザインタフェース制御手段とを有し、
前記ユーザインタフェース制御手段は、前記複数の副画面のうちの少なくとも一つの副画面のサイズを、当該副画面が割り当てられる前記情報ソースが出力する表示情報に含まれる情報の種別に応じて設定することを特徴とする情報システム。
【請求項２】
請求項１記載の情報システムであって、
前記ユーザインタフェース制御手段は、前記複数の副画面の各々のサイズを、当該副画面が割り当てられる前記情報ソースが出力する表示情報に動画または静止画が含まれる場合に、当該表示情報にテキストのみが含まれている場合に比べ大きく設定することを特徴とする情報システム。
【請求項３】
ディスプレイと、
地図上に現在位置を表したナビゲーション画面を出力するナビゲーション部と、
前記ディスプレイに表示する１または複数の情報を含む表示情報を選択的に出力するＡＶ装置と、
前記ディスプレイの表示領域をナビゲーション用副画面とＡＶ用副画面とに分割し、前記ナビゲーション用副画面に、前記ナビゲーション部が出力するナビゲーション画面を表示し、前記ＡＶ用副画面に、前記ＡＶ装置が出力した表示情報に含まれる各情報を表示するユーザインタフェース制御手段とを有し、
前記ＡＶ装置が選択的に出力する前記表示情報は、動画と静止画とテキストとのうちの少なくとも一つを含み、
前記ユーザインタフェース制御手段は、前記ナビゲーション用副画面と前記ＡＶ用副画面の各々のサイズを、前記ＡＶ装置が動画または静止画を含む前記表示情報を出力しているときに、前記ＡＶ装置がテキストのみを含む前記表示情報を出力しているときに比べ、前記ＡＶ用副画面のサイズが大きくなり前記ナビゲーション用副画面のサイズが小さくなるように設定することを特徴とする情報システム。
【請求項４】
請求項３記載の情報システムであって、
前記ユーザインタフェース制御手段は、前記ナビゲーション用副画面と前記ＡＶ用副画面の各々のサイズを、前記ＡＶ装置が動画または所定サイズ超の静止画を含む前記表示情報を出力しているときに、前記ＡＶ装置が、前記所定サイズ以下の静止画と前記テキストの双方もしくはいずれか一方のみを含む前記表示情報を出力しているときに比べ、前記ＡＶ用副画面のサイズが大きくなり前記ナビゲーション用副画面のサイズが小さくなるように設定することを特徴とする情報システム。
【請求項５】
請求項３または４記載の情報システムであって、
前記ユーザインタフェース制御手段は、前記ＡＶ装置が、前記テキストのみを含む前記表示情報を出力しているときに、前記ＡＶ用副画面を、前記ディスプレイの表示領域の上部に配置した帯状の形状を有する画面とすることを特徴とする情報システム。
【請求項６】
請求項３、４または５記載の情報システムであって、
前記ユーザインタフェース制御手段は、前記ＡＶ装置が前記表示情報を出力してないときには、前記ディスプレイの表示領域をナビゲーション用副画面とＡＶ用副画面とに分割せずに、前記ディスプレイの表示領域の全面に前記ナビゲーション部が出力するナビゲーション画面を表示することを特徴とする情報システム。
【発明の詳細な説明】
【技術分野】
【０００１】
本発明は、ディスプレイの表示領域を複数の副画面に分割し、分割した各副画面を、各々、異なる複数の情報ソースの表示画面として用いる技術に関するものである。
【背景技術】
【０００２】
ディスプレイの表示領域を複数の副画面に分割し、分割した各副画面を、各々、異なる複数の情報ソースの表示画面として用いる技術としては、ディスプレイの表示領域を二つの副画面に分割し、分割した二つの副画面を、各々、映像の表示に用いるシステムにおいて、分割した二つの副画面に表示する映像が同一の映像であるときに、ディスプレイの全面を用いて、当該映像を表示する技術が知られている（特許文献１）。
【先行技術文献】
【特許文献】
【０００３】
【特許文献１】特開２００７-２９５０４８号公報
【発明の概要】
【発明が解決しようとする課題】
【０００４】
ディスプレイの表示領域を２つの副画面に分割し、分割した二つの副画面を、各々、異なる二つの情報ソースの表示画面として用いる場合、分割した各副画面に表示する情報量や種別に相違がある場合、分割した二つの副画面のサイズを固定すると、一方の副画面は情報の提示に不十分なサイズとなり、他方の副画面は情報の提示に過剰なサイズとなってしまうなど、非合理的で、ユーザにとって不便な表示となってしまうことがある。
【０００５】
そこで、本発明は、ディスプレイの表示領域を複数の副画面に、ユーザにとって利便性の大きい画面サイズの組み合わせで分割し、分割した各副画面を、各々、異なる複数の情報ソースの表示画面として用いる情報システムを提供することを課題とする。
【課題を解決するための手段】
【０００６】
前記課題達成のために、本発明は、ディスプレイと、前記ディスプレイに表示する１または複数の情報を含む表示情報を出力する複数の情報ソースと、前記複数の情報ソースの各々に、ディスプレイの表示画面の表示領域を分割した複数の副画面のうちの一つの前記副画面を、当該情報ソースが出力する表示情報に含まれる各情報を表示する副画面として割り当てるユーザインタフェース制御手段とを備えた情報システムを提供する。ただし、前記ユーザインタフェース制御手段は、前記複数の副画面のうちの少なくとも一つの副画面のサイズを、当該副画面が割り当てられる前記情報ソースが出力する表示情報に含まれる情報の種別に応じて設定するものである。
【０００７】
ここで、このような情報システムは、より具体的には、たとえば、前記ユーザインタフェース制御手段において、前記複数の副画面の各々のサイズを、当該副画面が割り当てられる前記情報ソースが出力する表示情報に動画または静止画が含まれる場合に、当該表示情報にテキストのみが含まれている場合に比べ大きく設定するようにする。
【０００８】
このような情報システムによれば、ディスプレイの表示画面の表示領域を分割した副画面のサイズを、当該副画面が割り当てられた情報ソースが出力表示情報に含まれる情報の種別に応じて設定することができるので、各副画面のサイズを表示する情報の種別の表示に過不足なく適したサイズ、したがって、ユーザにとって利便性の大きいサイズに最適化することができる。
【０００９】
また、前記課題達成のために、本発明は、ディスプレイと、地図上に現在位置を表したナビゲーション画面を出力するナビゲーション部と、前記ディスプレイに表示する１または複数の情報を含む表示情報を選択的に出力するＡＶ装置と、前記ディスプレイの表示領域をナビゲーション用副画面とＡＶ用副画面とに分割し、前記ナビゲーション用副画面に、前記ナビゲーション部が出力するナビゲーション画面を表示し、前記ＡＶ用副画面に、前記ＡＶ装置が出力した表示情報に含まれる各情報を表示するユーザインタフェース制御手段とを備えた情報システムを提供する。ただし、前記ＡＶ装置が選択的に出力する前記表示情報は、動画と静止画とテキストとのうちの少なくとも一つを含み、前記ユーザインタフェース制御手段は、前記ナビゲーション用副画面と前記ＡＶ用副画面の各々のサイズを、前記ＡＶ装置が動画または静止画を含む前記表示情報を出力しているときに、前記ＡＶ装置がテキストのみを含む前記表示情報を出力しているときに比べ、前記ＡＶ用副画面のサイズが大きくなり前記ナビゲーション用副画面のサイズが小さくなるように設定するものである。
【００１０】
ここで、このような情報システムは、前記ユーザインタフェース制御手段において、前記ナビゲーション用副画面と前記ＡＶ用副画面の各々のサイズを、前記ＡＶ装置が動画または所定サイズ超の静止画を含む前記表示情報を出力しているときに、前記ＡＶ装置が、前記所定サイズ以下の静止画と前記テキストの双方もしくはいずれか一方のみを含む前記表示情報を出力しているときに比べ、前記ＡＶ用副画面のサイズが大きくなり前記ナビゲーション用副画面のサイズが小さくなるように設定することが好ましい。
【００１１】
また、このような情報システムは、前記ユーザインタフェース制御手段において、前記ＡＶ装置が、前記テキストのみを含む前記表示情報を出力しているときに、前記ＡＶ用副画面を、前記ディスプレイの表示領域の上部に配置した帯状の形状を有する画面とするようにしてもよい
また、このような情報システムは、前記ユーザインタフェース制御手段において、前記ＡＶ装置が前記表示情報を出力してないときには、前記ディスプレイの表示領域をナビゲーション用副画面とＡＶ用副画面とに分割せずに、前記ディスプレイの表示領域の全面に前記ナビゲーション部が出力するナビゲーション画面を表示するようにすることも好ましい。
【００１２】
以上のような情報システムによれば、ディスプレイの表示画面の表示領域を分割した副画面のサイズを、ＡＶ用副画面のサイズをＡＶ用副画面に表示する情報の種別の表示に過不足なく適したサイズに設定することができると共に、ディスプレイの表示領域の残りの部分をナビゲーション用副画面に割り当てて、可及的にナビゲーション画面の視認性を向上することができる。
【発明の効果】
【００１３】
以上のように、本発明によれば、ディスプレイの表示画面の表示領域を複数の副画面に、ユーザにとって利便性の大きい画面サイズの組み合わせで分割し、分割した各副画面を、各々、異なる複数の情報ソースの表示画面として用いる情報システムを提供することができる。
【図面の簡単な説明】
【００１４】
【図１】本発明の実施形態に係る情報システムの構成を示すブロック図である。
【図２】本発明の実施形態に係る二画面サイズ切り替え処理を示すフローチャートである。
【図３】本発明の実施形態に係る情報システムの表示例を示す図である。
【発明を実施するための形態】
【００１５】
以下、本発明の実施形態について、自動車に搭載される車載の情報システムへの適用を例にとり説明する。
図１に、本実施形態に係る情報システムの構成を示す。
図示するように、本実施形態に係る情報システム１００は、ディスプレイ１０１、タッチパネルなどの入力装置１０２、スピーカ１０３、ＵＩ制御部１０４、ＡＶ処理部１０５、ナビゲーション部１０６、ＴＶ受信機１０７、ラジオ受信機１０８、外部ＡＶ機器２００からＡＶ信号（ビデオ信号とオーディオ信号）を入力するためのＡＶ信号入力端子１０９、ポータブルミュージックプレイヤ３００を接続するための外部インタフェース１１０、地図データや楽曲ファイルやビデオファイルが記憶されているＨＤＤ１１１、ＧＰＳ受信機１１２、自動車の車速や角加速度などを検出する自動車状態センサ１１３などを備えている。
【００１６】
ただし、情報システム１００は、ＣＰＵやメモリを備えたコンピュータを用いて構成するようにしてもよく、この場合、以上の情報システム１００のＵＩ制御部１０４やＡＶ処理部１０５やナビゲーション部１０６は、所定のプログラムを実行することにより、その機能がコンピュータ上に実現されるものであってよい。
【００１７】
ここで、このような構成において、ナビゲーション部１０６は、ＨＤＤ１１１に記憶されている地図データや、ＧＰＳ受信機１１２で測定された現在位置や、自動車状態センサ１１３の検出値を用いて、現在位置の算出や目的地までのルートの探索を行い、地図上に現在位置やルートを表したナビゲーション画像を生成する。そして、ナビゲーション画像を、その他の各種情報や、ユーザのナビゲーション部１０６に対する操作受付用のボタンなどと共に表したナビゲーション画面を、ＵＩ制御部１０４から指定されたサイズで生成し、ＵＩ制御部１０４に出力する。
【００１８】
一方、ＡＶ処理部１０５は、入力装置１０２を介したユーザのソース選択操作に応じて、ＴＶ受信機１０７、ラジオ受信機１０８、ＡＶ信号入力端子１０９に接続された外部ＡＶ機器２００、外部インタフェース１１０に接続されたポータブルミュージックプレイヤ３００、ＨＤＤ１１１のいずれか一つをＡＶソースに設定し、ＡＶソースが出力するもしくは記憶されている出力ＡＶ情報をＵＩ制御部１０４に出力する。
【００１９】
すなわち、たとえば、ＡＶソースが、ＴＶ受信機１０７であれば、受信中のＴＶ番組の動画、音声、受信中のＴＶ番組の各種情報や受信状態を表すテキストなどを、出力ＡＶ情報としてＵＩ制御部１０４に出力する。また、ＡＶソースが、ラジオ受信機１０８であれば、受信中のラジオ番組の音声、受信中のラジオ番組の各種情報や受信状態を表すテキストなどを、出力ＡＶ情報としてＵＩ制御部１０４に出力する。また、ＡＶソースが、ＡＶ信号入力端子１０９に接続された外部ＡＶ機器２００であれば、外部ＡＶ機器２００から入力するビデオ、音声のうち、存在するものを、出力ＡＶ情報としてＵＩ制御部１０４に出力する。また、ＡＶソースが、外部インタフェース１１０に接続されたポータブルミュージックプレイヤ３００であれば、ポータブルミュージックプレイヤ３００に記憶されている楽曲ファイルの音声、もしくは、ポータブルミュージックプレイヤ３００が出力する音声と、ポータブルミュージックプレイヤ３００に記憶されている楽曲の各種情報を表すテキストとポータブルミュージックプレイヤ３００に記憶されている楽曲のアートワーク（ジャケット写真）を表す静止画情報とのうちの存在するものを、出力ＡＶ情報としてＵＩ制御部１０４に出力する。
【００２０】
また、ＡＶソースが、ＨＤＤ１１１であれば、ＨＤＤ１１１に記憶されている楽曲ファイルが再生対象ファイルとして指定されたときには、楽曲ファイルの音声と、楽曲各種情報を表すテキストとを出力ＡＶ情報としてＵＩ制御部１０４に出力する。また、楽曲のアートワーク（ジャケット写真）を表す静止画情報がＨＤＤ１１１に記憶されている場合には、当該静止画情報を出力ＡＶ情報としてＵＩ制御部１０４に出力する。一方、ＨＤＤ１１１に記憶されているビデオファイルが再生対象ファイルとして指定されたときには、ビデオファイルの動画と音声と、ビデオファイルのビデオの各種情報を表すテキストとを出力ＡＶ情報としてＵＩ制御部１０４に出力する。
【００２１】
以下、ＵＩ制御部１０４の動作について説明する。
ＵＩ制御部１０４は、ユーザが入力装置１０２を介して設定可能な動作モードとして、ナビゲーション情報全面表示モードと、出力ＡＶ情報全面表示モードと、二画面表示モードを備えている。
そして、動作モードとしてナビゲーション情報全面表示モードが設定されているときには、ＵＩ制御部１０４は、ナビゲーション部１０６に、ディスプレイ１０１の表示面の全面サイズのナビゲーション画面を生成させ、ナビゲーション部１０６から出力されるナビゲーション画面をディスプレイ１０１の表示面の全面に表示する。そして、ナビゲーション画面に対するユーザ操作を入力装置１０２を介して受け付け、受け付けた操作に応じてナビゲーション部１０６を制御する。
【００２２】
次に、動作モードとして出力ＡＶ情報報全面表示モードが設定されているときには、ＡＶ処理部１０５から出力ＡＶ情報の一つとして出力される音声をスピーカ１０３に出力する。
また、ＡＶ処理部１０５から出力ＡＶ情報として出力される動画、静止画、テキストと、現在のＡＶソースの動作制御用のボタンなどを、ＡＶソースの種別毎に予め定めたサイズ、位置で配置したＡＶ画面を、ディスプレイ１０１の表示面の全面サイズで生成し、ディスプレイ１０１の表示面の全面に表示する。そして、ＡＶソースに対するユーザ操作を入力装置１０２を介して受け付け、受け付けた操作に応じてＡＶ処理部１０５にＡＶソースの動作の制御を指示し、ＡＶ処理部１０５は指示に従ってＡＶソースの動作を制御する。
【００２３】
次に、動作モードとして二画面表示モードを設定されているときには、ＡＶ処理部１０５から出力ＡＶ情報の一つとして出力される音声をスピーカ１０３に出力する。
ここで、ＵＩ制御部１０４は、二画面表示モードを設定されているときのサブモードとして、大サイズＡＶ割当型二画面モード、小サイズＡＶ割当型二画面モード、テロップＡＶ割当型二画面モード、ナビゲーション全面表示モードを備えており、設定されているサブモードに応じて、ディスプレイ１０１の表示を制御する。このサブモードに応じた、ディスプレイ１０１の表示の制御の詳細については後述する。
【００２４】
また、ＵＩ制御部１０４は、以上のサブモードの設定を、図２に示すサブモード切替処理によって行う。
すなわち、図示するように、ＵＩ制御部１０４は、サブモード切替処理によって、ＡＶ処理部１０５から出力される出力ＡＶ情報に動画が含まれているか（ステップ２０２）、ＡＶ処理部１０５から出力される出力ＡＶ情報に所定サイズより大きな静止画である大サイズ静止画が含まれている場合には（ステップ２０４）、サブモードとして大サイズＡＶ割当型二画面モードを設定し（ステップ２１４）、ステップ２１２に進む。
【００２５】
一方、ＡＶ処理部１０５から出力される出力ＡＶ情報に動画も大サイズ静止画も含まれておらず、前記所定サイズ以下の静止画である小サイズ静止画が含まれている場合には（ステップ２０６）、サブモードとして小サイズＡＶ割当型二画面モードを設定し（ステップ２１６）、ステップ２１２に進む。
【００２６】
一方、ＡＶ処理部１０５から出力される出力ＡＶ情報に動画も大サイズ静止画も小サイズ静止画も含まれておらず、テキストが含まれている場合には（ステップ２０８）、サブモードとしてテロップＡＶ割当型二画面モードを設定し（ステップ２１８）、ステップ２１２に進む。
【００２７】
一方、その他の場合、すなわち、ＡＶ処理部１０５から出力される出力ＡＶ情報に動画も大サイズ静止画も小サイズ静止画もテキストも含まれていない場合には、サブモードとしてナビゲーション全面表示モードを設定し（ステップ２１０）、ステップ２１２に進む。
そして、ステップ２１２に進んだならば、ＡＶ処理部１０５から出力される出力ＡＶ情報に含まれる動画、大サイズ静止画、小サイズ静止画、テキストの情報種別の組み合わせの変化を監視し、変化が発生したならばステップ２０２からの処理に戻る。
以上、サブモード切替処理について説明した。
以下、以上のように、サブモード切替処理によってサブモードとして設定される、大サイズＡＶ割当型二画面モード、小サイズＡＶ割当型二画面モード、テロップＡＶ割当型二画面モード、ナビゲーション全面表示モードに応じた、ディスプレイ１０１の表示の制御の詳細について説明する。
【００２８】
すなわち、ＵＩ制御部１０４は、サブモードとして大サイズＡＶ割当型二画面モードが設定されている場合には、図３ａに示すように、ディスプレイ１０１の表示面の右側の領域をＡＶ画面領域３１１、ディスプレイ１０１の表示面の左側の領域をナビゲーション画面領域３１２に設定する。なお、図３ａでは、ＡＶ画面領域３１１をナビゲーション画面領域３１２よりも、左右方向について大きく設定している。
【００２９】
そして、ＡＶ処理部１０５から出力される出力ＡＶ情報に含まれる動画や大サイズ静止画、テキスト、現在のＡＶソースの動作制御用のボタンなどを、ＡＶソースの種別毎に予め定めたサイズ、位置で配置したＡＶ画面を、ＡＶ画面領域３１１のサイズで生成し、ＡＶ画面領域３１１に表示する。また、ＡＶソースに対するユーザ操作を入力装置１０２を介して受け付け、受け付けた操作に応じてＡＶ処理部１０５にＡＶソースの動作の制御を指示し、ＡＶ処理部１０５は指示に従ってＡＶソースの動作を制御する。また、ナビゲーション部１０６に、ナビゲーション画面領域３１２のサイズのナビゲーション画面を生成させ、ナビゲーション部１０６から出力されるナビゲーション画面をナビゲーション画面領域３１２に表示する。そして、ナビゲーション画面に対するユーザ操作を入力装置１０２を介して受け付け、受け付けた操作に応じてナビゲーション部１０６を制御する。
【００３０】
また、ＵＩ制御部１０４は、サブモードとして小サイズＡＶ割当型二画面モードが設定されている場合には、図３ｂに示すように、ディスプレイ１０１の表示面の右側の領域をＡＶ画面領域３２１、ディスプレイ１０１の表示面の左側の領域をナビゲーション画面領域３２２に、ＡＶ画面領域が大サイズＡＶ割当型二画面モードが設定されているときよりも小さくなるように設定する。なお、図３ｂでは、ナビゲーション画面領域３２２をＡＶ画面領域３２１よりも、左右方向について大きく設定している。
【００３１】
そして、ＡＶ処理部１０５から出力される出力ＡＶ情報に含まれる小サイズ静止画、テキスト、現在のＡＶソースの動作制御用のボタンなどを、ＡＶソースの種別毎に予め定めたサイズ、位置で配置したＡＶ画面を、ＡＶ画面領域３２１のサイズで生成し、ＡＶ画面領域３２１に表示する。また、ＡＶソースに対するユーザ操作を入力装置１０２を介して受け付け、受け付けた操作に応じてＡＶ処理部１０５にＡＶソースの動作の制御を指示し、ＡＶ処理部１０５は指示に従ってＡＶソースの動作を制御する。また、ナビゲーション部１０６に、ナビゲーション画面領域３２２のサイズのナビゲーション画面を生成させ、ナビゲーション部１０６から出力されるナビゲーション画面をナビゲーション画面領域３２２に表示する。そして、ナビゲーション画面に対するユーザ操作を入力装置１０２を介して受け付け、受け付けた操作に応じてナビゲーション部１０６を制御する。
また、ＵＩ制御部１０４は、サブモードとしてテロップＡＶ割当型二画面モードが設定されている場合には、図３ｃに示すように、ディスプレイ１０１の表示面の上部の帯状の領域をＡＶ画面領域３３１、ＡＶ画面領域の下方のディスプレイ１０１の表示面の大部分をナビゲーション画面領域３３２に設定する。そして、ＡＶ画面領域３３１に、ＡＶ処理部１０５から出力される出力ＡＶ情報に含まれるテキストを、ＡＶソースの種別毎に予め定めたサイズ、配置で表示し、ＡＶソースに対するユーザ操作を入力装置１０２を介して受け付け、受け付けた操作に応じてＡＶ処理部１０５にＡＶソースの動作の制御を指示し、ＡＶ処理部１０５は指示に従ってＡＶソースの動作を制御する。また、ナビゲーション部１０６に、ナビゲーション画面領域３３２のサイズのナビゲーション画面を生成させ、ナビゲーション部１０６から出力されるナビゲーション画面をナビゲーション画面領域３３２に表示する。そして、ナビゲーション画面に対するユーザ操作を入力装置１０２を介して受け付け、受け付けた操作に応じてナビゲーション部１０６を制御する。
【００３２】
そして、ＵＩ制御部１０４は、サブモードとしてナビゲーション全面表示モードが設定されている場合には、図３ｄに示すように、ＡＶ画面は設定せずに、ディスプレイ１０１の表示面の全面をナビゲーション画面領域３４２として設定し、ナビゲーション部１０６に、ディスプレイ１０１の表示面の全面サイズのナビゲーション画面を生成させ、ナビゲーション部１０６から出力されるナビゲーション画面をディスプレイ１０１の表示面の全面に表示する。そして、ナビゲーション画面に対するユーザ操作を入力装置１０２を介して受け付け、受け付けた操作に応じてナビゲーション部１０６を制御する。また、ＡＶソースに対するユーザ操作を入力装置１０２を介して受け付け、受け付けた操作に応じてＡＶ処理部１０５にＡＶソースの動作の制御を指示し、ＡＶ処理部１０５は指示に従ってＡＶソースの動作を制御する。
【００３３】
結果、ＡＶ処理部１０５から出力される出力ＡＶ情報に動画が含まれているか、大サイズ静止画が含まれている場合には、図３ａに示すように、動画や大サイズ静止画の視認に支障が生じない程度の比較的大きな領域がＡＶ画面領域として割り当てられることとなる。
【００３４】
また、ＡＶ処理部１０５から出力される出力ＡＶ情報に動画も大サイズ静止画も含まれておらず、小サイズ静止画が含まれている場合には、図３ｂに示すように、小サイズ静止画の視認に支障が生じない程度の比較的小さなサイズにＡＶ画面領域のサイズを抑制し、その分、ナビゲーション画面領域のサイズを大きくしてナビゲーション画面の視認性を向上することができる。
【００３５】
また、ＡＶ処理部１０５から出力される出力ＡＶ情報に動画も大サイズ静止画も小サイズ静止画も含まれておらず、テキストが含まれている場合には図３ｃに示すように、テキストの表示に充分なディスプレイ１０１の表示面の上部の帯状の領域のみＡＶ画面領域として割り当て、残りの大部分をナビゲーション画面領域とすることにより、ナビゲーション画面の視認性をより向上することができる。
【００３６】
そして、ＡＶ処理部１０５から出力される出力ＡＶ情報に動画も大サイズ静止画も小サイズ静止画もテキストも含まれていない場合には、表示する内容を持たないＡＶ画面の表示のためのＡＶ画面領域は割り当てずに、ディスプレイ１０１の表示面の全面を用いて、ナビゲーション画面を最も視認性良く表示することができる。
【００３７】
以上、本発明の実施形態について説明した。
ところで、以上では、ＵＩ制御部１０４において、ＡＶ画面を、ＡＶ処理部１０５から出力ＡＶ情報として出力される動画、静止画、テキストと、現在のＡＶソースの動作制御用のボタンなどを配置して生成するものとしたが、このＡＶ画面はＡＶ処理部１０５において生成し、ＵＩ制御部１０４に出力するものとしてもよい。すなわち、この場合には、ＡＶ処理部１０５からＵＩ制御部１０４に、生成するＡＶ画面に含める動画、大サイズ静止画、小サイズ静止画、テキストの情報種別の組み合わせを通知し、ＵＩ制御部１０４の上述したサブモード切替処理において、出力ＡＶ情報に含まれる動画、大サイズ静止画、小サイズ静止画、テキストの情報種別の組み合わせに代えて、通知された情報種別組み合わせを用いて、上述のようにサブモードを定める。また、ＵＩ制御部１０４において、サブモードに応じて、ＡＶ画面領域とナビゲーション画面領域とを設定すると共に、ＡＶ画面領域のサイズをＡＶ処理部１０５に通知し、ＡＶ処理部１０５において通知されたサイズのＡＶ画面を生成してＵＩ制御部１０４に出力し、ＵＩ制御部１０４においてＡＶ処理部１０５から出力されたＡＶ画面をＡＶ画面領域に表示するようにする。
【００３８】
また、以上では、二画面表示モードにおいて、ディスプレイ１０１の表示面を分割した各画面を、各々、ナビゲーション部１０６とＡＶソースの情報の表示に用いる場合について説明したが、本実施形態は、二画面表示モードにおいて、ディスプレイ１０１の表示面を分割した各画面を、ナビゲーション部１０６やＡＶソース以外の任意の情報ソースの情報の表示に用いる場合について同様に適用することができる。
【００３９】
また、以上の実施形態は、ディスプレイ１０１の表示面を３以上の画面に分割する場合についても、拡張して適用することができる。すなわち、この場合には、各画面のサイズができるだけ当該画面に表示する情報の種類に応じたサイズとなり、かつ、全体のサイズがディスプレイ１０１の表示面のサイズとなるように制御するようにすればよい。
【００４０】
以上のように、本実施形態によれば、ディスプレイ１０１の表示画面の表示領域を複数の画面に、ユーザにとって利便性の大きい画面サイズの組み合わせで分割し、分割した各画面を、各々、異なる複数の情報ソースの表示画面として用いることができる。
【符号の説明】
【００４１】
１００…情報システム、１０１…ディスプレイ、１０２…入力装置、１０３…スピーカ、１０４…ＵＩ制御部、１０５…ＡＶ処理部、１０６…ナビゲーション部、１０７…ＴＶ受信機、１０８…ラジオ受信機、１０９…ＡＶ信号入力端子、１１０…外部インタフェース、１１１…ＨＤＤ、１１２…ＧＰＳ受信機、１１３…自動車状態センサ、２００…外部ＡＶ機器、３００…ポータブルミュージックプレイヤ。
【図１】
2013221979.tif 000003
【図２】
2013221979.tif 000004
【図３】
2013221979.tif 000005